【事件の表示】
　特許第３００８２１９号「薬液容器の二重中栓」の請求項１、２に係る特許に対する特許異議の申立てについて、次のとおり決定する。
【結　論】
　訂正を認める。
　特許第３００８２１９号の請求項１に係る特許を維持する。
【理　由】
１．手続の経緯
　特許第3008219号の請求項１及び２に係る発明は、平成3年5月13日に特許出願され、平成11年12月3日にその特許権の設定登録がなされ、その後、田川武より特許異議の申立てがなされ、取消しの理由が通知され、その指定期間内である平成12年12月25日に訂正請求がなされたものである。
　
２．訂正の適否についての判断
(1)訂正の内容
ア．訂正事項ａ
　特許請求の範囲の請求項１の記載について、「前記狭窄部は、前記注出孔内」とあるのを、「前記狭窄部は、前記内筒の底部において、上方に向けて滑らかに開口させ、前記テーパ部内の薬液の全量を薬液容器に戻すとともに、前記注出孔内」と訂正する。
イ．訂正事項ｂ
　特許請求の範囲の請求項２を削除する。
ウ．訂正事項ｃ
　明細書の段落【０００７】の記載について、「狭窄部は、注出孔内」とあるのを、「狭窄部は、内筒の底部において、上方に向けて滑らかに開口させ、前記テーパ部内の薬液の全量を薬液容器に戻すとともに、注出孔内」と訂正する。
エ．訂正事項ｄ
　明細書の段落【０００８】を削除する。
　
(2)訂正の目的の適否、新規事項の有無及び拡張・変更の存否
　訂正事項ａは、発明を特定する事項である「狭窄部」の構成を、訂正前の請求項２に記載されたとおりの構成である「内筒の底部において、上方に向けて滑らかに開口させ」としたものに特定するとともに、さらに、「前記テーパ部内の薬液の全量を薬液容器に戻すとともに」と、狭窄部の構成をより限定して特定するものである。前者の特定部分は、訂正前の請求項２に記載されており、また、後者の特定部分は、明細書の段落【００２３】に記載されているから、特許請求の範囲の減縮を目的とした明細書の訂正に相当する。
　訂正事項ｂは、請求項２の削除であるので、特許請求の範囲の減縮を目的とした明細書の訂正に相当する。
　訂正事項ｃ及びｄは、訂正事項ａ及びｂと整合を図るための訂正であるので、明りょうでない記載の釈明を目的とした明細書の訂正に相当する。
　そして、何れの訂正も、新規事項の追加に該当せず、実質的に特許請求の範囲を拡張又は変更するものではない。
　
(3)むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項及び第３項の規定に適合するので、当該訂正を認める。
　
３．特許異議の申立てについての判断
(1)申立ての理由の概要
　特許異議申立人　田川武は、請求項１及び２に係る発明は、甲第１号証（実公昭59-37256号公報）、甲第２号証（米国特許第2,987,223号明細書）に記載の発明から容易に発明することができたものであり、特許法第２９条第２項の規定により特許を受けることができないものであるから、特許を取り消すべきと主張している。
　
(2)本件の請求項１に係る発明
　上記２．で示したように上記訂正が認められるから、本件の請求項１に係る発明（以下、「本件発明」という。）は、上記訂正請求に係る訂正明細書の特許請求の範囲の請求項１に記載された事項により特定される、以下のものである。
「【請求項１】　薬液容器の口部に嵌合する鍔部を下部に有する硬質合成樹脂製の内筒と、該内筒に対し、前記鍔部の上方に冠着する軟質合成樹脂製の外筒とからなり、前記内筒と外筒とを上下に貫通する注出孔は、上方に向けて連続的に開拡しながら前記内筒の底部を貫通する狭窄部と、該狭窄部の上方に連通し、前記外筒の頂部に向けてテーパ状に開拡するテーパ部とを備え、前記狭窄部は、前記内筒の底部において、上方に向けて滑らかに開口させ、前記テーパ部内の薬液の全量を薬液容器に戻すとともに、前記注出孔内の空気と薬液との置換を防止することを特徴とする薬液容器の二重中栓。」
　
(3)刊行物等
　平成１２年１０月２４日付けの取消理由通知では、実願平1-62014号（実開閉3-3565号）のマイクロフィルム（以下、「刊行物１」という。）が、異議申立人の提出した甲第１号証及び甲第２号証とともに引用されたが、刊行物１には、薬液等を収容する容器の注出装置に関して、従来例（第８図）とその改良したものの実施例が記載されており（第１〜７図）、その実施例には、薬液容器の口部に嵌合する鍔部を下部に有する硬質合成樹脂製の筒体5が内側に配置され、その外側に、軟質合成樹脂製の連結体25を被せた注出装置が記載されている。この連結体25は従来例として第８図に示された軟質合成樹脂製外筒40を構造的に改良したものである。そして、注出路6は、下から上に向けて、浅い皿状の凹部、ストレート部、短い急傾斜のテーパ部、長い緩傾斜のテーパ部からなっている。
　特許異議申立人が提出した甲第１号証及び甲第２号証には、それぞれ以下のものが記載されている。
甲第１号証（実公昭59-37256号公報、以下、「刊行物２」という。）には、注出口1が、下から上に向かって、狭窄部、テーパ状に開拡するテーパ部からなる、点滴薬液びんが記載されている。
甲第２号証（米国特許第2,987,223号明細書、以下、「刊行物３」という。）には、小径オリフィス9の上方にテーパ状通路10を設け、テーパ状通路10の上方に破断面形状が円形の伸長した通路8が設けられた点鼻薬または目薬等のディスペンサーノズル構造が記載されている。そして、テーパ状通路10の断面形状は、長方形であり、長辺は通路8の直径相当の大きさとなっている（第５図参照）。
　
(4)対比・判断
　本件特許公報第５欄第４１行〜第６欄第１４行には、「収納薬液は、中栓10に狭窄部11cがあるために、テーパ部11dの空気と置換し難く、・・・・・・・・このとき、テーパ部11ｄ、狭窄部11ｃ内の薬液には、テーパ部11ｄ、狭窄部11ｃのテーパにより、それぞれ下方に押し下げる方向に表面張力が作用する上、注出孔Ｘの内面が全体として滑らかであるから、流入空気に格別な死角が生じることもない。そこで、テーパ部11ｄ、狭窄部11ｃ内の薬液の全量を容易に薬液容器Ｋに戻すことができる。」との記載がある。この記載から、狭窄部の構成を「上方に向けて連続的に開拡しながら」、かつ、「内筒の底部において、上方に向けて滑らかに開口させ」ることによって、狭窄部11ｃとテーパ部11ｄとの接続部分には顕著な段が形成されないものとなっており、このことにより、本件発明は、「狭窄部11ｃ内の薬液の全量を容易に薬液容器Ｋに戻すことができる。」との効果を奏するものである。
　
　本件発明と、上記刊行物１、２及び３に記載されたものとを対比すると、狭窄部の構成を「上方に向けて連続的に開拡しながら」、かつ、「内筒の底部において、上方に向けて滑らかに開口させ」にしたものは、刊行物１には記載されておらず、また、刊行物２及び３に記載されたものをみても、狭窄部の上記構成に相当する事項は記載されていない。
　刊行物２に記載されたものは、狭窄部に相当するものは図面（第１図）から窺えるものの、その具体的構成については、何ら記載がない。
　また、刊行物３に記載されたものは、狭窄部に相当する断面長方形のテーパ状通路と、断面円形の伸長した通路8との間には段差が生じており（このことは、断面形状が異なっていることからも明らかであり、第４図からもそのことが理解できる。）、狭窄部は、「内筒の底部において、上方に向けて滑らかに開口させ」るものとなっていない。
　したがって、本件発明が上記刊行物に記載されたものから容易に発明をすることができたものとはいえない。
　
(5)むすび
　以上のとおりであるから、特許異議の申立の理由によっては本件発明についての特許を取り消すことはできない。
　また、他に本件発明についての特許を取り消すべき理由を発見しない。
　よって、結論のとおり決定する。
【異議決定日】
平成１３年５月７日（２００１．５．７）
【訂正の要旨】
訂正の要旨
ア．訂正事項ａ
　特許請求の範囲の請求項１の記載について、「前記狭窄部は、前記注出孔内」とあるのを、「前記狭窄部は、前記内筒の底部において、上方に向けて滑らかに開口させ、前記テーパ部内の薬液の全量を薬液容器に戻すとともに、前記注出孔内」と訂正する。
イ．訂正事項ｂ
　特許請求の範囲の請求項２を削除する。
ウ．訂正事項ｃ
　明細書の段落【０００７】の記載について、「狭窄部は、注出孔内」とあるのを、「狭窄部は、内筒の底部において、上方に向けて滑らかに開口させ、前記テーパ部内の薬液の全量を薬液容器に戻すとともに、注出孔内」と訂正する。
エ．訂正事項ｄ
　明細書の段落【０００８】を削除する。
（５４）【発明の名称】
薬液容器の二重中栓
（５７）【特許請求の範囲】
　【請求項１】　薬液容器の口部に嵌合する鍔部を下部に有する硬質合成樹脂製の内筒と、該内筒に対し、前記鍔部の上方に冠着する軟質合成樹脂製の外筒とからなり、前記内筒と外筒とを上下に貫通する注出孔は、上方に向けて連続的に開拡しながら前記内筒の底部を貫通する狭窄部と、該狭窄部の上方に連通し、前記外筒の頂部に向けてテーパ状に開拡するテーパ部とを備え、前記狭窄部は、前記内筒の底部において、上方に向けて滑らかに開口させ、前記テーパ部内の薬液の全量を薬液容器に戻すとともに、前記注出孔内の空気と薬液との置換を防止することを特徴とする薬液容器の二重中栓。
【発明の詳細な説明】
　【０００１】
　【産業上の利用分野】
　この発明は、点眼薬のような液状の薬液に対し、薬液の変質を来すことがなく、しかも、薬液を水切れよく排出することができる薬液容器の二重中栓に関する。
　【０００２】
　【従来の技術】
　点眼薬のような液状の薬液に対し、薬液の反覆排出ができ、しかも、薬液の変質を来すおそれがないように工夫した薬液容器の二重中栓が知られている（実公平１−１８５２９号公報）。
　【０００３】
　このものは、硬質合成樹脂製の内筒１と、軟質合成樹脂製の外筒２とを組み合わせてなり（図３）、硬質合成樹脂製の薬液容器Ｋの口部Ｋ１に挿着するとき、収納薬液は、軟質合成樹脂製の外筒２に接することがなく、薬液の変質を有効に防止することができる。軟質合成樹脂は、薬液の有効成分を吸着し、薬液を変質させることがあるが、両者の接触を断つことにより、そのおそれを排除することができるからである。なお、外筒２を軟質合成樹脂製にするのは、内筒１と口部Ｋ１との間でパッキンとして作用させ、硬質合成樹脂製の薬液容器Ｋに対し、内筒１を容易に挿着することができるようにし、しかも、キャップＣの反覆着脱を可能にするためである。硬質合成樹脂相互の接触では、寸法調節機能が期待できず、接触面にかじり現象が発生するおそれがあるからである。
　【０００４】
　なお、内筒１の内部には、注出孔１ａが形成され、注出孔１ａは、キャップＣの内面頂部に形成する突栓部Ｃａにより閉塞される。
　【０００５】
　【発明が解決しようとする課題】
　かかる従来技術によるときは、キャップＣを取り去り、注出孔１ａを開口するに際し、収納薬液の一部が外部に漏出したり、点眼の際に、薬液がぼた落ちしたりすることがあり、特に着色した薬液の場合には、衣服を汚してしまうおそれがあるという欠点があった。すなわち、開口前の薬液容器Ｋは、自由姿勢であるために、薬液は、注出孔１ａの内部に充満し、または、空気の泡とともに注出孔１ａ内に入り込んでいることが少なくない。一方、この状態で、キャップＣを除去するために薬液容器Ｋに圧力がかかったり、手で持つことにより薬液容器Ｋの温度が上昇したりすると、注出孔１ａ内の薬液が不用意に外部に溢れ出たり、ぼた落ちしたりすることが起り得る。
　【０００６】
　そこで、この発明の目的は、かかる従来技術の欠点に鑑み、注出孔の下部に狭窄部を形成することによって、薬液が不用意に外部に漏れたり、ぼた落ちしたりすることがなく、しかも、薬液の反覆排出に適し、薬液の変質のおそれもない薬液容器の二重中栓を提供することにある。
　【０００７】
　【課題を解決するための手段】
　かかる目的を達成するためのこの発明の構成は、薬液容器の口部に嵌合する鍔部を下部に有する硬質合成樹脂製の内筒と、内筒に対し、鍔部の上方に冠着する軟質合成樹脂製の外筒とからなり、内筒と外筒とを上下に貫通する注出孔は、上方に向けて連続的に開拡しながら内筒の底部を貫通する狭窄部と、狭窄部の上方に連通し、外筒の頂部に向けてテーパ状に開拡するテーパ部とを備え、狭窄部は、内筒の底部において、上方に向けて滑らかに開口させ、テーパ部内の薬液の全量を薬液容器に戻すとともに、注出孔内の空気と薬液との置換を防止することをその要旨とする。
　【０００８】
　【作用】
　かかる発明の構成によるときは、内筒は、二重中栓の下部を形成し、外筒は上部を形成するから、収納薬液は、軟質合成樹脂製の外筒に接触することがなく、変質を来すおそれがない。一方、注出孔は、内筒の底部に狭窄部を形成するから、薬液容器を自由姿勢にしても、狭窄部を介して注出孔内の空気と薬液との置換が防止され、したがって、注出孔内に薬液が入り込むおそれがないから、キャップを外して開口する際に薬液が外部に漏れ出たり、薬液のぼた落ちが生じたりすることを有効に防止することができる。なお、注出孔は、狭窄部の上方に大きな容積を有し、薬液を排出して使用するとき、薬液は、狭窄部を介してこの容積に充満した後、外部に流出するから、薬液容器を手で持つことにより薬液容器に多少の温度上昇があっても、薬液のぼた落ち等は起らない。
　【０００９】
　また、注出孔は、狭窄部を上方に向けて連続的に開拡させることにより、薬液容器の側面を押して薬液を排出した後、薬液容器に対する押圧力を除去して薬液容器の変形を復元させれば、狭窄部を介して注出孔内の薬液を薬液容器の内部に吸引することができる。このとき、狭窄部の上方や内部に残留する薬液は、表面張力により下方に押され、その全量を容易に薬液容器に戻すことができる。
　【００１０】
　【実施例】
　以下、図面を以って実施例を説明する。
　【００１１】
　薬液容器の二重中栓（以下、単に中栓という）１０は、内筒１１と外筒１２とを組み合わせてなり（図１）、薬液容器Ｋの口部Ｋ１に挿着される。
　【００１２】
　薬液容器Ｋは、上部に口部Ｋ１を有する平板状の中空容器であり、ポリエチレンテレフタレート等の硬質合成樹脂材料により一体成形されている。薬液容器Ｋは、口部Ｋ１の左右両側に肩部Ｋ２、Ｋ２を形成し、口部Ｋ１の左右両外側には、係止突条Ｋ１ａ、Ｋ１ａが形成されている。
　【００１３】
　中栓１０は、口部Ｋ１に水密に嵌合するリング状の鍔部１１ａを有する硬質合成樹脂製の内筒１１と、内筒１１に対し、鍔部１１ａの上方に冠着する軟質合成樹脂製の外筒１２とからなる。外筒１２には、口部Ｋ１の上端面に当接する鍔部１２ａが形成されており、また、鍔部１２ａの下方部分は、口部Ｋ１に圧入されている。内筒１１、外筒１２は、内筒１１に形成する抜止めリング１１ｂを介して一体に組み立てられている。
　【００１４】
　中栓１０には、内筒１１の底部に形成する狭窄部１１ｃと、狭窄部１１ｃの上下に形成するテーパ部１１ｄ、大径部１１ｅと、外筒１２の頂部に開口する透孔１２ｂとを連通してなる注出孔Ｘが形成されている。注出孔Ｘは、内筒１１、外筒１２を上下に貫通し、テーパ部１１ｄは、狭窄部１１ｃの上方に連通し、外筒１２の頂部に向けてテーパ状に開拡している。なお、テーパ部１１ｄ、透孔１２ｂは、両者の内面が滑らかに連続し、注出孔Ｘは、外筒１２の頂部における最大内径より上下に長く形成されている。また、狭窄部１１ｃは、内筒１１の底面中央部において、上方に広い漏斗状に形成されており、上方に向けて連続的に開拡しながら内筒１１の底部を下から上に貫通するとともに、上端縁を滑らかに形成し、上方に向けて滑らかに開口している。
　【００１５】
　内筒１１は、たとえば、ポリエチレンテレフタレート・ポリブチレンテレフタレート・ポリカーボネート・ポリアリレート等によって一体成形し、外筒１２は、たとえば、ポリエチレン・ポリプロピレン等により一体成形するものとする。
　【００１６】
　薬液容器Ｋの上部には、キャップＣが装着されている。
　【００１７】
　キャップＣは、全体として、薬液容器Ｋの口部Ｋ１、肩部Ｋ２、Ｋ２を覆うことができるように、薬液容器Ｋとほぼ同等の厚みｔを有し、下部が開放されたほぼ半月形の蓋状に形成されている。キャップＣの頂部には、口部Ｋ１の係止突条Ｋ１ａ、Ｋ１ａに弾発的に係合する一対の係止部Ｃ１、Ｃ１が垂設され、さらに、係止部Ｃ１、Ｃ１に挾まれるようにして、注出孔Ｘを閉塞するための突栓部Ｃ２が形成されている。
　【００１８】
　キャップＣは、長手方向を薬液容器Ｋの肩部Ｋ２、Ｋ２に合わせるようにして押し込み（図１の矢印Ａ方向）、係止部Ｃ１、Ｃ１を係止突条Ｋ１ａ、Ｋ１ａに係合させることにより、薬液容器Ｋに対して一体に装着することができる。このとき、キャップＣの頂部内面は、中栓１０の頂部に強く押し付けられるとともに、突栓部Ｃ２は、注出孔Ｘを水密に閉塞することができる。なお、突栓部Ｃ２は、注出孔Ｘに対し、少なくとも外筒１２の透孔１２ｂを貫通し、内筒１１のテーパ部１１ｄにまで到達する長さを有するものとする。
　【００１９】
　キャップＣは、薬液容器Ｋに対し、左右に捻るように回転させることにより、薬液容器Ｋから容易に外すことができる。すなわち、キャップＣを捻ると、キャップＣの下端縁Ｃ３、Ｃ３は、薬液容器Ｋの肩部Ｋ２、Ｋ２に乗り上げ（図１の二点鎖線）、キャップＣを全体として薬液容器Ｋから外れる方向（同図の矢印Ａの反対方向）に駆動することができ、最終的に、係止部Ｃ１、Ｃ１が係止突条Ｋ１ａ、Ｋ１ａとの係合を脱することにより、キャップＣが薬液容器Ｋから分離する。なお、このとき、突栓部Ｃ２は、注出孔Ｘから抜去され、注出孔Ｘを開口することができる。
　【００２０】
　開口後の薬液容器Ｋは、逆さにし、側面を手指で押して変形させることにより、収納薬液を排出することができる。
　【００２１】
　収納薬液は、中栓１０に狭窄部１１ｃがあるために、テーパ部１１ｄ内の空気と置換し難く、したがって、薬液容器Ｋの姿勢に拘らず、それを積極的に変形させない限り、テーパ部１１ｄに入り込まない。そこで、キャップＣを外す際に、薬液容器Ｋが多少変形したとしても、また、薬液容器Ｋの温度が多少上昇したとしても、薬液が不用意に外部に漏れ出たり、ぼた落ちしたりすることがない。また、薬液は、その排出時において、狭窄部１１ｃを介してテーパ部１１ｄに充満し、その後、透孔１２ｂを介して外部に流出する。このとき、薬液は、透孔１２ｂを通過する際に一時的に外筒１２に接触する以外に、軟質合成樹脂に接触することがない。よって、軟質合成樹脂による薬液を有効に防止することができる。
　【００２２】
　薬液の排出が完了すると、テーパ部１１ｄに残留する薬液は、薬液容器Ｋから手指を離し、その変形を復元させることにより、狭窄部１１ｃを介して薬液容器Ｋの内部に吸引される。このとき、テーパ部１１ｄ、狭窄部１１ｃ内の薬液には、テーパ部１１ｄ、狭窄部１１ｃのテーパにより、それぞれ下方に押し下げる方向に表面張力が作用する上、注出孔Ｘの内面が全体として滑らかであるから、流入空気に格別な死角が生じることもない。そこで、テーパ部１１ｄ、狭窄部１１ｃ内の薬液の全量を容易に薬液容器Ｋに戻すことができる。
　【００２３】
　【他の実施例】
　中栓１０は、狭窄部１１ｃを内筒１１の下端に形成することができる（図２）。薬液が滞留し易い大径部１１ｅがないから、排出時を除き、注出孔Ｘ内に残留する薬液を一層確実になくすることができる。
　【００２４】
　以上の説明において、注出孔Ｘは、テーパ部１１ｄ、狭窄部１１ｃを設けることにより、薬液を排出した後、注出孔Ｘ内の薬液を薬液容器Ｋ内に吸引する際に、注出孔Ｘ内の薬液の全量を一層吸引し易くなっている。テーパ部１１ｄ、狭窄部１１ｃは、中栓１０の上方から下方に向けて断面積が漸減し、したがって、薬液の流速が次第に増速される傾向になるからである。また、成形時の型抜きにも便利である。
　【００２５】
　なお、薬液容器Ｋ、キャップＣの全体形状は、図示に拘らず、任意に変更することができるものとし、また、キャップＣは、薬液容器Ｋに対し、ねじを介して着脱する一般的なねじ式のものであってもよい。
　【００２６】
　【発明の効果】
　以上説明したように、この発明によれば、硬質合成樹脂製の内筒と軟質合成樹脂製の外筒とを上下に貫通する注出孔は、上方に向けて連続的に開拡しながら内筒の底部を貫通して注出孔内の空気と薬液との置換を防止する狭窄部と、狭窄部の上方のテーパ部とを備えることによって、狭窄部は、薬液容器の姿勢に拘らず、注出孔内の空気と薬液容器内の収納薬液とが置換して注出孔内に薬液が入り込むことを有効に防止する上、上方のテーパ部と相俟って、表面張力により注出孔内の薬液の全量を薬液容器に容易に戻すことができるから、キャップを外して開口する際や薬液を排出して使用する際などにおいて、薬液が不用意に外部に漏れ出たり、ぼた落ちしたりするおそれがなく、薬液の水切り性能が極めて良好であるという優れた効果がある。
　【００２７】
　また、薬液と軟質合成樹脂との実質的な接触がないから、薬液の変質を防止することができる上、軟質合成樹脂を介在させることにより、薬液を反覆排出するときにも、有害なかじり現象がなく、封止性能が劣化するおそれも全くないという効果がある。
【図面の簡単な説明】
　【図１】　全体構成縦断面説明図
　【図２】　他の実施例を示す図１の要部拡大断面相当図
　【図３】　従来例を示す図１相当図
　【符号の説明】
　Ｘ…注出孔
　Ｋ…薬液容器
　Ｋ１…口部
　１０…二重中栓
　１１…内筒
　１１ａ…鍔部
　１１ｃ…狭窄部
　１１ｄ…テーパ部
　１２…外筒